(57)【要約】【課題】窓枠とスライド窓の間に挟んで設置するだけで雨の振り込みを阻止し、窓枠周りの化粧材やカベ紙などの剥離、シミ、変色などの被害を防止する。又、雨の日でも常時通気や換気を可能にする事で夏場の室温上昇を抑え、高齢者等の熱中症の危険を回避する。更に、雨の熱帯夜であっても外気を導入できる為、クーラーに頼らず、自然に近い、健康的、且つ経済的な睡眠環境を得る事を可能にした雨受け通気ユニットを提供する。【解決手段】２本のフレームレール（１）を横桟（２）でつなぎ、間に雨受けプレート（３）を付け、上部にスライド・アジャスタ（４）を付けたことを特徴とする。【選択図】図１
2014202066.tif 000002
【特許請求の範囲】
【請求項１】
２本のフレームレール（１）を横桟（２）でつなぎ、間に雨受けプレート（３）を付け、上部にスライド・アジャスタ（４）を付けたスライド窓用雨受け通気ユニット
【発明の詳細な説明】
【技術分野】
【０００１】  本発明は、窓枠とスライド窓の間に簡易的に固定し、雨天時でも開けた窓から雨が降り込むことがないようにして、常時通気または換気が出来るようにするためのスライド窓用雨受け通気ユニットに関するものである。
【背景技術】
【０００２】  従来、窓を開けているときに雨が降り出せば、室内に雨が降り込まないように開けていた窓は閉めるしかなかった。
【発明の開示】
【発明が解決しようとする課題】
【０００３】  そのような状況下では次のような問題があった。
（イ）風通しの良い窓であればあるほど雨の降り込みも強く、不意の雨など、雨天時に窓の閉め忘れがあると、窓枠周りの化粧板やカベ紙、フロア素材などの剥離、シミ、変色など、雨の振り込みによる被害は少なくなかった。
（ロ）節電が叫ばれ、エアコンをつけずに我慢する人々の話題もニュースで耳にする昨今、雨の日に窓が開けられない状況下では、特に夏場、室温が上がり湿度も高いため乳幼児や高齢者では熱中症の危険があった。
（ハ）防犯上の心配がない窓であっても、外出時は、不意の雨に備えて窓は閉めることが一般的で、帰宅時には、上昇した室内のムっとした雰囲気をしばらく我慢しなければならなかった。
（ニ）夏場の寝苦しい夜に、雨で窓が開けられない状態ではクーラーに頼らざるを得ず、電気代のアップに加えて、冷えからくる体調の不調なども避けられなかった。
本発明は、以上のような問題を解決するためになされたものである。
【課題を解決するための手段】
【０００４】（イ）スライド窓（６）の高さより少し短くした２本のフレームレール（１）の下部を横桟（２）でつなぐ。
（ロ）平行する２本のフレームレール（１）の間に雨受けプレート（３）を窓の高さに応じた枚数取付ける。
（ハ）取付けた雨受けプレート（３）の上にスライド・アジャスタ（４）を取付ける。
（ニ）組み上げた本発明の雨受け通気ユニットを下側の窓枠（５）に乗せた後、本発明の雨受け通気ユニットをサイド側の窓枠（５）の内側面に押し付ける位置まで移動させ、スライド・アジャスタ（４）を、スライド・アジャスタ（４）の頂部の溝に窓枠（５）の上レール（８）が嵌まる位置まで持ち上げて止める。
（ホ）組み付けた本発明の雨受け通気ユニットにスライド窓（６）を押し付けるように閉じ、本発明の雨受け通気ユニットをサッシ窓枠（５）とスライド窓（６）との間に挟んで使用する。
本発明は、以上のように構成されたスライド窓用雨受け通気ユニットである。
【発明の効果】
【０００５】  本発明のスライド窓用雨受け通気ユニットによって、次のような効果を得ることが出来る。
（イ）自然通気時は勿論であるが、同じ空間に換気扇がある場合、その換気扇を排気モードで運転させることにより、本発明の雨受け通気ユニットを通して外気が勢いよく流入する。雨天時においては、雨滴は雨受けプレートの傾斜面に当たって下に落ち、雨が室内に降り込むことはなく、外出中の不意な雨は勿論、本格的な雨のシーズンにおいても、室内に雨が降り込むことを心配することなく窓を開けたまま通気、または換気を続けることが出来る。
（ロ）夏場、通気または換気することによって昼間の室温（壁や床、天井など建物全体の温度）の上昇を抑えることが出来る。その結果、夜、クーラーをつけずに済む場合もあり得るし、クーラーをつけたとしても部屋を閉め切っていた場合に比べ軽い運転で済み、電力負担は軽減される。
（ハ）年々熱帯夜の日数が増え、寝苦しい思いをすることが増えつつあるように思われる。熱帯夜の晩はクーラーに頼らざるを得ないのが一般的であるが、就寝時のクーラー設定温度を２５℃より低く設定して布団をかぶって寝ることは健康的にも経済的にも好ましくない。天気予報で見る各地の熱帯夜の最低気温は２５〜２７℃位が多いように思われるが、その２５〜２７℃位の外気をそっくり室内に取り込めれば、クーラーの設定温度を２５〜２７℃にする事と同様の結果を得ることが出来る。即ち、換気扇で室内の空気を排出することにより室内は負圧となり、その反動で２５〜２７℃位の外気が室内に勢いよく流入してくる。その結果、経済的で健康的な睡眠環境を得る事が出来るのである。本発明の雨受けプレート（３）を通過した風は上向きの流れとなり、室内上層の空気を押し出し、換気の効果を上げることが出来る。また、本発明のスライド窓用雨受け通気ユニットは、雨天時であっても雨の振り込みを全く心配する必要がないため、雨によってむしろ気温が少し下がる分、寝心地の良い一夜となり得るわけである。
【発明を実施するための最良の形態】
【０００６】  以下、本発明を実施するための最良の形態について説明する。
（イ）スライド窓（６）の高さより少し短くした２本のフレームレール（１）を横桟（２）でつなぐ。この場合、フレームレール（１）は、窓枠（５）の下レール（７）を跨いで組み付けられるように、下端のリブ部分を下レール（７）の高さ分だけ切り欠いておく。あるいは、図４に示すように１本の長いフレームレールの中央部２か所に切れ込みを入れて折り曲げてもよいし、あるいは図５に示すように長短３本のフレームレールをＬ型ジョイント（１４）でつないでもよい。
（ロ）平行する２本のフレームレール（１）の間に、雨受けプレート（３）を、窓の高さに応じた枚数取り付ける。尚、雨受けプレート（３）の左右に張り出した部分は、雨受けプレート（３）をフレームレール（１）の溝に嵌めた状態で、上から別の雨受けプレート（３）やスライド・アジャスタ（４）を重ねて嵌められるように段差を付けた形状にしておく方がよい。又、図３に示すように、雨受けプレート（３）の一部を平プレート（１３）に変更することにより風量を調節したり、外観デザインを変えることも可能である。更に、フレームレール（１）と雨受けプレート（３）との嵌合部は図６や図７に示すように、それぞれの張り出し部分に突起を付けて横方向には抜けない構造にすることにより、平行する２本のフレームレール（１）の距離を一定に保って広がらないようにすることが出来る。あるいは平行する２本のフレームレール（１）の上部をもう１本の横桟（２）でつないでもよい。張り出し部分に突起を付けて抜けないようにすることは平プレート（１３）についても同様である。
本発明の各部品は、軽合金やＵＶ樹脂、あるいはカラー樹脂などで成形することにより、透明、不透明、半透明などユーザーの好みや周囲の環境に合わせて選択することも可能になる。
（ハ）取り付けた雨受けプレート（３）の上にスライド・アジャスタ（４）を取付ける。
（ニ）組み上げた本発明の雨受け通気ユニットを、網戸があればその内側で、下側の窓枠（５）に乗せた後、本発明の雨受け通気ユニットをサイド側の窓枠（５）の内側面に押し付ける位置まで移動させ、スライド・アジャスタ（４）を、スライド・アジャスタ（４）の頂部の溝に窓枠（５）の上レール（８）が嵌まる位置まで持ち上げて止める。このスライド・アジャスタ（４）はネジ止めしても良いけれど、任意の高さで止まるように嵌合寸法を調整したり、摺動部にフリクション・ゴム（１２）をつけたり、ヒダや突起、起毛などの加工を施してもよい。
（ホ）組み付けた本発明の雨受け通気ユニットにスライド窓（６）を押し付けるように閉じ、本発明の雨受け通気ユニットをサッシ窓枠（５）とスライド窓（６）との間に挟んで使用する。ただし、本発明の雨受け通気ユニットを取り付けていても、スライド窓（６）は本発明の雨受け通気ユニットの幅以上に開放出来るし、外出時や冬場など窓を閉め切る場合には、上部のスライド・アジャスタ（４）を下げるだけで本発明の雨受け通気ユニットは簡単に取り外し出来るので、不要な期間はそのまま保管して、必要な時にまた取り付ければよいわけである。
（ヘ）本発明の雨受け通気ユニットとスライド窓（６）との密着度を上げるためにフレームレール（１）の外側の溝にクッション・シール（１１）を付けることでガラス枠（１０）の幅や溝の形状に対してかなりのフレキシブルな密着性を持たせることが出来る。また、ガラス枠（１０）にガイドブロック（１５）がついている場合には、図６に示すようにフレームレール（１）の断面形状を一か所長くしてガイドブロック（１５）に沿って嵌合できるようにしてもよい。更に、ガイドブロック（１５）が外せる場合には、図７に示すようにフレームレール（１）のガラス枠（１０）側の幅をガラス枠（１０）の内側に入り込むように小さくするのもよい。
（ト）本発明のスライド窓用雨受け通気ユニットは左右引違いのスライド窓用だけでなく、図８に示すように、上下にスライドする窓用としても同じ考え方が適用でき、同様の効果を得ることが出来る。本特許願の特許請求の範囲の請求項１に記する２本のフレームレール（１）に相当するのが上下スライド窓の場合は左右の窓枠（５）であり、横桟（２）に相当するのが窓枠（５）の下側部分である。スライド・アジャスタ（４）に相当するのが上下にスライドする窓（６）であり、雨受けプレート（３）に相当するのがサイズを窓枠の内幅に合わせた雨受けプレート（１６）である。ストッパー（１７）やフック（１８）などで雨受けプレート（１６）を保持することによって、雨天時でも雨が降り込むことなく、窓を開けたままの状態で２４時間、常時通気や換気をすることが出来る。
【図面の簡単な説明】
【０００７】
【図１】左右引違い窓の場合に対する本発明のスライド窓用雨受け通気ユニットの実施例を示す斜視図である。
【図２】本発明の部品類を組み上げた左右スライド窓用雨受け通気ユニットを示す斜視図である。
【図３】雨受けプレートの一部を平プレートに変えた場合の左右スライド窓用雨受け通気ユニットを示す斜視図である。
【図４】一本の長いフレームレールの中央部２か所に切り込み加工をした後、曲げた場合を示す斜視図である
【図５】長短３本のフレームレールをＬ型ジョイントでつないだ例を示す斜視図である。
【図６】フレームレールと雨受けプレートそれぞれの張り出し部分に突起を付けて横方向には抜けない構造を示す例を、ガイドブロックが使用してあるガラス枠の場合用として、フレームレールの断面形状を一か所長くしたフレームレールの場合について示す断面図である（雨受けプレートの張り出し部分に付けた突起は雨受けプレートの下部に位置するため断面形状にはなっていない）。
【図７】ガラス枠に接する側のフレームレールの断面形状を小さくした場合の例を示す断面図である。
【図８】上下スライド窓の場合に対する本発明のスライド窓用雨受け通気ユニットの実施例を示す斜視図である。
【符号の説明】
【０００８】  １  フレームレール        ２  横桟                  ３  雨受けプレート
４  スライド・アジャスタ  ５  窓枠                  ６  スライド窓
７  窓枠下レール          ８  窓枠上レール          ９  ガラス
１０  ガラス枠            １１  クッション・シール  １２  フリクション・ゴム
１３  平プレート          １４  Ｌ型ジョイント      １５  ガイドブロック
１６  上下スライド窓用雨受けプレート                １７  ストッパー
１８  フック
【図１】
2014202066.tif 000003
【図２】
2014202066.tif 000004
【図３】
2014202066.tif 000005
【図４】
2014202066.tif 000006
【図５】
2014202066.tif 000007
【図６】
2014202066.tif 000008
【図７】
2014202066.tif 000009
【図８】
2014202066.tif 000010